(57)【要約】【課題】不正行為を行い難くすること。【解決手段】遊技領域を流下した遊技球の入球口３２、第１始動入賞口２８、及び第２始動入賞口２９ａが開口された入球部３３と、入球部３３の両側に位置する下り勾配の第１誘導面７１ａを有する第１誘導部７１と、第１誘導部７１で誘導された遊技球をアウト口５７へ誘導する第２誘導部７２と、を有する入賞口ユニット７０を遊技領域に配設する。入賞口ユニット７０により、何れの入賞口にも入賞しなかった遊技球は、第１誘導面７１ａによって遊技領域の左右の領域に分流された後、第２誘導面７２ａによって遊技領域の最下方に位置するアウト口５７へ到達する。この入賞口ユニット７０によれば、第１誘導部７１の下方にスペースを画成することができるので、そのスペースによってアウト口５７への遊技球の流れを滞留させるとともに遊技球を堆積させる不正行為を行い難い。【選択図】図５
2015204914.tif 000002
【特許請求の範囲】
【請求項１】
遊技球が流下可能な遊技領域を有する遊技盤を備え、
前記遊技領域には、
複数の入賞口と、
当該入賞口に入賞しなかった遊技球を排出するアウト口と、
第１図柄変動ゲームの始動条件を成立させるに際して遊技球を入球させる第１特定入賞口と第２図柄変動ゲームの始動条件を成立させるに際して遊技球を入球させる第２特定入賞口とを有する入賞口ユニットと、が配置されており、
前記入賞口ユニットには、
前記遊技領域を流下した遊技球が入球可能な入球口を有する入球部と、
前記遊技領域の左右のうち少なくとも何れか一方の方向に遊技球を転動させて誘導する下り勾配の第１誘導面を有する第１誘導部と、
前記第１誘導部で誘導された遊技球を受け入れるとともに、受け入れた遊技球を前記アウト口に誘導する下り勾配の第２誘導面を有する第２誘導部と、を有し、
前記第１誘導部の上流側に前記入球部が位置するとともに前記第１誘導部の下流側に前記第２誘導部が位置し、
前記入球部は、
前記入球口と、前記第１特定入賞口と、前記第２特定入賞口と、入球した遊技球を外部に排出する排出口と、が開口され、
前記入球口には入球した遊技球を流下案内する流下通路が繋がっているとともに、前記流下通路はその途中で前記第１特定入賞口へ繋がる第１通路と前記第２特定入賞口へ繋がる第２通路に分岐され、
前記流下通路の分岐部位には前記入球した遊技球を前記第１通路及び前記第２通路に振分ける振分部材が配置され、
前記排出口は、前記第１誘導面よりも下方の位置であって、前記第１通路において前記第１特定入賞口へ至る途中の部位と、前記第２通路において前記第２特定入賞口へ至る途中の部位とにそれぞれ開口されていることを特徴とする遊技機。
【請求項２】
前記アウト口は、前記入球部よりも下方の位置であって、前記遊技領域の最下方に位置しており、
前記第１誘導部及び前記第２誘導部は、前記入球部の両側にそれぞれ位置している請求項１に記載の遊技機。
【請求項３】
前記第２誘導部には、前記第１誘導面の最下流に連なる遊技球の入口と、前記第２誘導面で誘導される遊技球の出口と、がそれぞれ開口されているとともに、
前記第２誘導面において遊技球の誘導方向に交差する方向に位置する縁には、前記入口の開口縁と前記出口の開口縁を形成する壁が立設されている請求項１又は請求項２に記載の遊技機。
【請求項４】
前記第２誘導面は、遊技球の誘導方向に下る段差を有する請求項１〜請求項３のうちいずれか一項に記載の遊技機。
【請求項５】
前記第１誘導面の下方に位置する遊技領域には、前記入賞口ユニットの後面を形成する透明な壁部が位置し、当該壁部によって空間が形成されている請求項１〜請求項４のうちいずれか一項に記載の遊技機。
【発明の詳細な説明】
【技術分野】
【０００１】
本発明は、遊技球が流下可能な遊技領域を有する遊技盤を備えた遊技機に関する。
【背景技術】
【０００２】
パチンコ遊技機などの遊技機は、遊技球が流下可能な遊技領域を有する遊技盤を備えている（例えば、特許文献１，２参照）。そして、遊技盤の遊技領域には、例えば始動入賞口や大入賞口などの入賞口や、図柄変動ゲームを表示する表示装置など、遊技に係る各種部品が配置されている。また、遊技領域には、遊技領域に発射された遊技球のうち、入賞口に入賞しなかった遊技球を排出するアウト口が配置されている。アウト口は、遊技盤の盤面において最下方に位置している。
【先行技術文献】
【特許文献】
【０００３】
【特許文献１】特開２０１３−２５５７２１号公報
【特許文献２】特開２０１４−４０３３号公報
【発明の概要】
【発明が解決しようとする課題】
【０００４】
ところで、近時においては、アウト口への遊技球の流れを滞留させるとともに遊技球を堆積させることによって始動入賞口へ遊技球を入賞させようとする不正行為が行われている。このため、このような不正行為に対する対策を施す必要がある。
【０００５】
この発明の目的は、従来の技術に存在する問題点に着目してなされたものであり、その目的は、不正行為を行い難い遊技機を提供することにある。
【課題を解決するための手段】
【０００６】
上記課題を解決する遊技機は、遊技球が流下可能な遊技領域を有する遊技盤を備え、前記遊技領域には、複数の入賞口と、当該入賞口に入賞しなかった遊技球を排出するアウト口と、第１図柄変動ゲームの始動条件を成立させるに際して遊技球を入球させる第１特定入賞口と第２図柄変動ゲームの始動条件を成立させるに際して遊技球を入球させる第２特定入賞口とを有する入賞口ユニットと、が配置されており、前記入賞口ユニットには、前記遊技領域を流下した遊技球が入球可能な入球口を有する入球部と、前記遊技領域の左右のうち少なくとも何れか一方の方向に遊技球を転動させて誘導する下り勾配の第１誘導面を有する第１誘導部と、前記第１誘導部で誘導された遊技球を受け入れるとともに、受け入れた遊技球を前記アウト口に誘導する下り勾配の第２誘導面を有する第２誘導部と、を有し、前記第１誘導部の上流側に前記入球部が位置するとともに前記第１誘導部の下流側に前記第２誘導部が位置し、前記入球部は、前記入球口と、前記第１特定入賞口と、前記第２特定入賞口と、入球した遊技球を外部に排出する排出口と、が開口され、前記入球口には入球した遊技球を流下案内する流下通路が繋がっているとともに、前記流下通路はその途中で前記第１特定入賞口へ繋がる第１通路と前記第２特定入賞口へ繋がる第２通路に分岐され、前記流下通路の分岐部位には前記入球した遊技球を前記第１通路及び前記第２通路に振分ける振分部材が配置され、前記排出口は、前記第１誘導面よりも下方の位置であって、前記第１通路において前記第１特定入賞口へ至る途中の部位と、前記第２通路において前記第２特定入賞口へ至る途中の部位とにそれぞれ開口されている。この構成によれば、第１誘導部によって遊技球は遊技領域の左右の方向に誘導される。このため、第１誘導部の下方には空間（スペース）を形成することができるので、遊技球を堆積させる不正行為が行い難く、さらにその空間に装飾を施せば意匠性の向上を図ることもできる。
【０００７】
上記した遊技機において、前記アウト口は、前記入球部よりも下方の位置であって、前記遊技領域の最下方に位置しており、前記第１誘導部及び前記第２誘導部は、前記入球部の両側にそれぞれ位置していると良い。
【０００８】
上記した遊技機において、前記第２誘導部には、前記第１誘導面の最下流に連なる遊技球の入口と、前記第２誘導面で誘導される遊技球の出口と、がそれぞれ開口されているとともに、前記第２誘導面において遊技球の誘導方向に交差する方向に位置する縁には、前記入口の開口縁と前記出口の開口縁を形成する壁が立設されていると良い。
【０００９】
上記した遊技機において、前記第２誘導面は、遊技球の誘導方向に下る段差を有すると良い。
上記した遊技機において、前記第１誘導面の下方に位置する遊技領域には、前記入賞口ユニットの後面を形成する透明な壁部が位置し、当該壁部によって空間が形成されていると良い。この構成によれば、透明の壁部によって空間を形成することで、盤面の視認性が向上され、意匠性の向上を図ることができる。
【発明の効果】
【００１０】
本発明によれば、不正行為を行い難くすることができる。
【図面の簡単な説明】
【００１１】
【図１】パチンコ遊技機の正面図。
【図２】遊技盤の正面図。
【図３】（ａ），（ｂ）は入球部の断面図。
【図４】パチンコ遊技機の電気的構成を示すブロック図。
【図５】入賞口ユニット周辺の遊技盤の拡大正面図。
【図６】入賞口ユニットを正面から見た場合の斜視図。
【図７】入賞口ユニットを背面から見た場合の斜視図。
【図８】（ａ）は入賞口ユニットの平面図、（ｂ）は（ａ）の１−１線断面図。
【発明を実施するための形態】
【００１２】
以下、パチンコ遊技機に具体化した一実施形態を図１〜図８にしたがって説明する。
図１に示すようにパチンコ遊技機１０の機体の外郭をなす外枠１１の開口前面側には、各種の遊技用構成部材をセットする縦長方形の中枠１２が開放及び着脱自在に組み付けられているとともに、中枠１２の前面側には前枠１３が開閉及び着脱自在に組み付けられている。前枠１３は正面視ほぼ円形状の窓口１４を有し、前枠１３の裏側には機内部に配置された遊技盤１５を保護し、かつ窓口１４を覆う大きさのガラスを支持する図示しないガラス支持枠が着脱及び傾動開放可能に組み付けられている。これにより、遊技者は、前枠１３を介して遊技盤１５の遊技領域１６を、パチンコ遊技機１０の正面から視認することができる。遊技領域１６は、遊技球が流下可能な領域である。
【００１３】
また、パチンコ遊技機１０の下方には、球皿１７に貯留されている遊技球を遊技領域１６に発射させる際に遊技者によって操作される操作ハンドル１８が配設されている。遊技領域１６に発射される遊技球は、操作ハンドル１８の操作量に応じて発射の強弱が設定される。例えば、遊技球は、操作ハンドル１８の操作量が大きくなるにしたがって発射強度が増加し、遊技領域１６の右方に到達し易く、右方を流下し易くなる。一方、遊技球は、操作ハンドル１８の操作量が小さくなるにしたがって発射強度が減少し、遊技領域１６の左方に到達し易く、左方を流下し易くなる。
【００１４】
図２に示すように、遊技盤１５の盤面には、外レール部材２０、内レール部材２１、及びコーナー飾り部材２２が配設されており、これらの各部材によって正面視ほぼ円形状の遊技領域１６が画成されている。また、外レール部材２０と内レール部材２１との間には、操作ハンドル１８の操作によって発射された遊技球が案内される打出し通路２４が画成されている。発射された遊技球は、打出し通路２４を案内されるとともに、内レール部材２１の先端に位置する逆戻り防止弁２５を通過することによって、遊技領域１６に到達する。
【００１５】
遊技領域１６には、各種の装飾を施したセンター役物２６が装着されているとともに、センター役物２６に開口されたセット口２６ａには例えば液晶式の画像表示部を有する表示装置２７が装着されている。表示装置２７の画像表示部には、飾り図柄を用いた図柄変動ゲームなどの各種演出が画像表示される。
【００１６】
また、遊技領域１６には、遊技球が入球可能な複数の入賞口が配設されている。入賞口には、複数の始動入賞口（第１始動入賞口２８、第２始動入賞口２９ａ，２９ｂ）と、大入賞口３０と、普通入賞口３１と、を含む。
【００１７】
始動入賞口は、図柄変動ゲームの始動条件を成立させるに際して遊技球を入球させる入賞口である。この実施形態において始動入賞口には、第１始動入賞口２８と、第２始動入賞口２９ａと、第２始動入賞口２９ｂと、を含み、遊技領域１６の３箇所に位置している。
【００１８】
図１及び図２に示すように、センター役物２６の下方には、常時、遊技球を入球させることができるように開口された入球口３２を有する入球部３３が位置している。この実施形態において入球口３２は、遊技領域１６を左右方向に二等分する中心線Ｌ１上に位置している。中心線Ｌ１上に位置するとは、入球口３２の中心線と中心線Ｌ１が一致する場合に限らず、入球口３２の中心線と中心線Ｌ１がずれていても、入球口３２に中心線Ｌ１が重なれば良い。なお、この実施形態の遊技盤１５において中心線Ｌ１は、遊技盤１５を左右方向に二等分する中心線Ｌ２とはずれている。
【００１９】
図３に示すように、入球部３３は、入球口３２と、入球口３２に繋がる流下通路３４と、第１特定入賞口としての第１始動入賞口２８と、第２特定入賞口としての第２始動入賞口２９ａと、を有する。入球口３２、第１始動入賞口２８、及び第２始動入賞口２９ａは、入球部３３にそれぞれ開口されている。流下通路３４は、その途中で第１通路３４ａと第２通路３４ｂに分岐されている。そして、流下通路３４において入球口３２の位置する側を遊技球の流下経路における上流としたとき、当該流下経路の最下流において、第１通路３４ａと第１始動入賞口２８とが繋がっている一方で、第２通路３４ｂと第２始動入賞口２９ａとが繋がっている。
【００２０】
また、流下通路３４の分岐部位には、図３（ａ）に示すように遊技球（図中に符号「Ｂ」を付す）を第１通路３４ａへ案内する第１姿勢と、図３（ｂ）に示すように遊技球を第２通路３４ｂへ案内する第２姿勢と、を取り得るように回動変位可能な振分部材３５が配置されている。振分部材３５は、入球部３３の前後に延在するように支持された回動軸３６に回動自在に枢支されている。振分部材３５は、半円板状の基板３７と、該基板３７の中心から前方へ突出するとともに径方向に延在する３つの球受片３８，３９，４０と、を有する。そして、振分部材３５には、基板３７及び球受片３８，３９によって遊技球を受け止め可能な球受部４１が画成されているとともに、基板３７及び球受片３９，４０によって遊技球を受け止め可能な球受部４２が画成されている。
【００２１】
振分部材３５は、図３（ａ）に示す第１姿勢のときに入球口３２へ入球した遊技球を球受部４１で受け止めるとともに、当該遊技球の自重によって反時計回り（図中に符号「Ｚ１」を付す方向）に回動することによって遊技球を第１通路３４ａへ案内する。一方、振分部材３５は、図３（ｂ）に示す第２姿勢のときに入球口３２へ入球した遊技球を球受部４２で受け止めるとともに、当該遊技球の自重によって時計回り（図中に符号「Ｚ２」を付す方向）に回動することによって遊技休を第２通路３４ｂへ案内する。なお、振分部材３５は、回動軸３６を中心に所定角度の範囲で回動するように回動量が規制されている。また、振分部材３５は、図３（ａ）に示す第１姿勢から遊技球を第１通路３４ａへ案内した後、図３（ｂ）に示す第２姿勢を取り得るように姿勢が保持されるとともに、図３（ｂ）に示す第２姿勢から遊技球を第２通路３４ｂへ案内した後、図３（ａ）に示す第１姿勢を取り得るように姿勢が保持される。振分部材３５は、遊技球を１球ずつ第１通路３４ａ又は第２通路３４ｂへ案内し、第１通路３４ａ及び第２通路３４ｂのそれぞれに同じ割合で遊技球を振分けるように構成されている。
【００２２】
また、入球部３３において第１通路３４ａを構成する通路壁には、流下通路３４の分岐部位から第１始動入賞口２８へ至るまでの第１通路３４ａの途中に外側排出口４３と内側排出口４４と、が開口されている。第１通路３４ａの外側排出口４３と内側排出口４４は、第１通路３４ａを挟んで対向している。また、入球部３３において第２通路３４ｂを構成する通路壁には、流下通路３４の分岐部位から第２始動入賞口２９ａへ至るまでの第２通路３４ｂの途中に外側排出口４３と内側排出口４４と、が開口されている。第２通路３４ｂの外側排出口４３と内側排出口４４は、第２通路３４ｂを挟んで対向している。また、第１通路３４ａの内側排出口４４と第２通路３４ｂの内側排出口４４は、第１通路３４ａと第２通路３４ｂとを隔絶する空洞部４５を挟んで対向している。空洞部４５には、下部排出口４６が開口されている。
【００２３】
入球部３３に入球した遊技球は、第１通路３４ａへ案内された場合、第１始動入賞口２８へ入球する場合と、第１通路３４ａの外側排出口４３又は内側排出口４４から入球部３３の外へ排出される場合と、がある。第１始動入賞口２８へ入球した遊技球は、遊技盤１５の裏側に位置する排出路（図示しない）を介してパチンコ遊技機１０の機外に排出されるとともに、排出路の途中に配設された遊技球検知用のセンサ（図４に示す始動センサＳＥ１）で検知される。遊技球検知用のセンサで遊技球が検知された場合には、図柄変動ゲームの始動条件を成立させることができる。第１始動入賞口２８は、図柄変動ゲームの始動条件を成立させるに際して遊技球を入球させる入賞口である。
【００２４】
また、入球部３３に入球した遊技球は、第２通路３４ｂへ案内された場合、第２始動入賞口２９ａへ入球する場合と、第２通路３４ｂの外側排出口４３又は内側排出口４４から入球部３３の外へ排出される場合と、がある。第２始動入賞口２９ａへ入球した遊技球は、遊技盤１５の裏側に位置する排出路（図示しない）を介してパチンコ遊技機１０の機外に排出されるとともに、排出路の途中に配設された遊技球検知用のセンサ（図４に示す始動センサＳＥ２）で検知される。遊技球検知用のセンサで遊技球が検知された場合には、図柄変動ゲームの始動条件を成立させることができる。第２始動入賞口２９ａは、図柄変動ゲームの始動条件を成立させるに際して遊技球を入球させる入賞口である。
【００２５】
第２始動入賞口２９ｂは、図柄変動ゲームの始動条件を成立させるに際して遊技球を入球させる入賞口である。この実施形態において第２始動入賞口２９ｂは、遊技領域１６の右方の領域に位置している。第２始動入賞口２９ｂは、所定条件の成立時（普通図柄の当選時）に開閉羽根（普通電動役物）４８が開動作を行うことによって遊技球を入球させることができる、若しくは入球し易いように開放される。一方、第２始動入賞口２９ｂは、開閉羽根４８が閉動作を行うことによって遊技球を入球させることができない、若しくは入球し難いように閉鎖される。開閉羽根４８は、アクチュエータ（ソレノイドやモータなど）から動力を受けて動作する。この実施形態において開閉羽根４８を動作させるアクチュエータは図４に示す電動役物ソレノイドＳＯＬ１である。なお、遊技領域１６の右方の領域とは、図２に示すように遊技盤１５を正面視した場合に中心線Ｌ１よりも右側の領域である。因みに、遊技領域１６の左方の領域とは、図２に示すように遊技盤１５を正面視した場合に中心線Ｌ１よりも左側の領域である。
【００２６】
大入賞口３０は、賞球の払出条件を成立させるに際して遊技球を入球させる入賞口である。この実施形態において大入賞口３０は、遊技領域１６の右方の領域であって、第２始動入賞口２９ｂの下方に位置している。大入賞口３０は、当り抽選に当選した場合に大入賞口扉４９が開動作を行うことによって遊技球を入球させることができるように開放される。一方、大入賞口３０は、大入賞口扉４９が閉動作を行うことによって遊技球を入球させることができないように閉鎖される。大入賞口扉４９は、図示しないアクチュエータ（ソレノイドやモータなど）から動力を受けて動作する。この実施形態において開閉羽根４８を動作させるアクチュエータは図４に示す大入賞ソレノイドＳＯＬ２である。
【００２７】
普通入賞口３１は、賞球の払出条件を成立させるに際して遊技球を入球させる入賞口である。この実施形態において普通入賞口３１は、遊技領域１６に複数あり、遊技領域１６の左方の領域並びに右方の領域のそれぞれに位置している。各普通入賞口３１は、常時、遊技球を入球させることができるように開放されている。なお、普通入賞口３１への入球によって得られる賞球数は、大入賞口３０への入球によって得られる賞球数よりも少ない。
【００２８】
第２始動入賞口２９ｂ、大入賞口３０及び普通入賞口３１は、入球した遊技球を遊技盤１５の裏側へ排出する排出路を有する入賞部５０，５１，５２に開口されている。そして、排出路の途中には、入球した遊技球を検知するセンサが配設されている。この実施形態において第２始動入賞口２９ｂへ入球した遊技球は図４に示す始動センサＳＥ３で検知されるとともに、大入賞口３０へ入球した遊技球は図４に示すカウントセンサＳＥ４で検知される。また、この実施形態において普通入賞口３１へ入球した遊技球は図４に示す普通入賞センサＳＥ５で検知される。
【００２９】
また、遊技領域１６には、作動ゲート５３が配設されている。この実施形態において作動ゲート５３は、遊技領域１６の右方の領域であって、第２始動入賞口２９ｂの上方に位置している。作動ゲート５３には、常時、遊技球を入球させることができるように開放されたゲート口５４が開口されている。ゲート口５４には、入球し、通過する遊技球を検知するセンサ（図４に示すゲートセンサＳＥ６）が配設されている。作動ゲート５３のゲート口５４は、普通図柄を用いた普通図柄変動ゲームの始動条件を成立させるに際して遊技球を入球させる入球口である。第２始動入賞口２９ｂの開閉羽根４８は、作動ゲート５３へ遊技球が入球することによって行われる普通図柄の当り抽選に当選し、普通図柄の当り図柄が普通図柄変動ゲームで導出された後、閉状態から開状態へ動作する。
【００３０】
また、遊技領域１６には、遊技球の流下方向に変化を与える各種の遊技部品が配設されている。遊技部品には、遊技釘５５と、風車と、を含む。遊技釘５５は、センター役物２６の周辺、第１始動入賞口２８や第２始動入賞口２９ａ，２９ｂを含む各入賞口の周辺、及び作動ゲート５３の周辺に植設されている。
【００３１】
また、遊技領域１６には、第１始動入賞口や第２始動入賞口２９ａ，２９ｂを含む各入賞口へ入球しなかった遊技球を排出するアウト口５７が配設されている。アウト口５７は、遊技盤１５を貫通するように穿設されており、遊技領域１６に開口されている。アウト口５７を通過した遊技球は、遊技盤１５の裏側に位置する排出樋を介してパチンコ遊技機１０の機外に排出される。
【００３２】
この実施形態においてアウト口５７は、遊技領域１６の中心線Ｌ１上であって、遊技領域１６の最下方に位置している。なお、遊技領域１６の最下方とは、遊技球の流下経路において最下流を意味している。このため、この実施形態の遊技盤１５の遊技領域１６には、遊技球の流下経路においてアウト口５７よりも下流側に遊技球の入球を許容する開口が配置されていない。また、この実施形態においてアウト口５７は、例えば図２に示すように、入球部３３の下方に位置し、その入球部３３とは遊技盤１５の上下方向に所定の距離をあけて位置している。
【００３３】
また、遊技盤１５には、図４に示す、特別図柄表示装置６０，６１、普通図柄表示装置６２、保留表示装置６３，６４が配設されている。これらの表示装置は、図１に示すようにパチンコ遊技機１０を正面視した場合に遊技者が視認可能な部位、すなわち前枠１３の窓口１４から視認可能な遊技盤１５の部位に位置している。例えば、これらの表示装置は、遊技領域１６に配設されている飾り部材や、遊技盤１５のコーナー飾り部材２２などに配設されている。
【００３４】
特別図柄表示装置６０，６１には、第１特別図柄用の特別図柄表示装置６０と第２特別図柄用の特別図柄表示装置６１とがある。これらの特別図柄表示装置６０，６１は特別図柄を用いた図柄変動ゲームを行い、当該図柄変動ゲームにおいて当り抽選の抽選結果に応じた特別図柄が導出される。そして、第１始動入賞口２８に遊技球が入球し、検知された場合は、その入球を契機に第１特別図柄を用いた図柄変動ゲームの始動条件が成立する。一方、第２始動入賞口２９ａ，２９ｂに遊技球が入球し、検知された場合は、その入球を契機に第２特別図柄を用いた図柄変動ゲームの始動条件が成立する。第１特別図柄と第２特別図柄では、始動条件の成立を契機に当り抽選が行われるが、その当り抽選に当選する確率は同一確率である。その一方で、第１特別図柄と第２特別図柄では、当り抽選に当選した場合に決定される当りの種類や同一種類の当りの決定割合を異ならせている。これにより、第１特別図柄と第２特別図柄では、当り抽選に当選した際の有利度（例えば、賞球の多少、入球率向上状態（変動時間短縮状態）の付与期間など）を異ならせている。また、始動条件が成立した場合には、当り抽選の抽選結果を導出するために特別図柄表示装置６０，６１で図柄変動ゲームが行われるとともに、当該図柄変動ゲームで導出される特別図柄に応じた結果を導出する図柄変動ゲームが表示装置２７においても飾り図柄を用いて行われる。
【００３５】
普通図柄表示装置６２は普通図柄を用いた普通図柄変動ゲームを行い、当該普通図柄変動ゲームにおいて普通図柄の当り抽選の抽選結果に応じた普通図柄が導出される。保留表示装置６３，６４には、特別図柄用の保留表示装置６３と普通図柄用の保留表示装置６４とがある。特別図柄用の保留表示装置６３は、実行が保留されている特別図柄を用いた図柄変動ゲームの数を表示する。普通図柄用の保留表示装置６４は、実行が保留されている普通図柄変動ゲームの数を表示する。
【００３６】
また、パチンコ遊技機１０には、遊技用構成部材として図４に示す主基板６５や副基板６６を含む各種基板が搭載されている。
主基板６５は、制御動作を所定の手順で実行することができる主制御用ＣＰＵ６５ａと、主制御用ＣＰＵ６５ａの制御プログラムを格納する主制御用ＲＯＭ６５ｂと、必要なデータの書き込み及び読み出しができる主制御用ＲＡＭ６５ｃと、を有する。また、主基板６５には、図４に示すように各種センサＳＥ１〜ＳＥ６、各種表示装置（特別図柄表示装置６０，６１など）及び各種アクチュエータ（電動役物ソレノイドＳＯＬ１など）が接続されている。
【００３７】
主制御用ＣＰＵ６５ａは、各種センサＳＥ１〜ＳＥ６からの遊技球の検知信号をもとに入力処理を行う。
主制御用ＣＰＵ６５ａは、始動センサＳＥ１〜ＳＥ３からの検知信号を入力した場合の入力処理において、特別図柄を用いた図柄変動ゲームの保留を記憶する処理や当り抽選などに用いる各種乱数を取得する処理を行う。そして、主制御用ＣＰＵ６５ａは、入力処理で記憶した保留をもとに特別図柄を用いた図柄変動ゲームを開始させる変動開始処理を行う。変動開始処理において主制御用ＣＰＵ６５ａは、第１始動入賞口２８及び第２始動入賞口２９ａへの入球に基づき始動条件が成立している場合、検知信号の入力順（すなわち入賞順）に図柄変動ゲームを行わせる。この実施形態では、入球部３３の振分部材３５によって遊技球が第１通路３４ａと第２通路３４ｂへ交互に振分けられることから、入球部３３へ入球した遊技球を対象とした場合、第１特別図柄を用いた図柄変動ゲームと第２特別図柄を用いた図柄変動ゲームが交互に行われるときや、何れかの図柄変動ゲームが連続して行われるときなどが生じ得る。また、変動開始処理において主制御用ＣＰＵ６５ａは、第２始動入賞口２９ｂへの入球に基づき始動条件が成立している場合、検知信号の入力順（すなわち入賞順）に図柄変動ゲームを行わせる。
【００３８】
また、主制御用ＣＰＵ６５ａは、カウントセンサＳＥ４からの検知信号を入力した場合の入力処理において、所定個数の賞球数を払出すための処理を行う。また、主制御用ＣＰＵ６５ａは、普通入賞センサＳＥ５からの検知信号を入力した場合の入力処理において、所定個数の賞球を払出すための処理を行う。また、主制御用ＣＰＵ６５ａは、ゲートセンサＳＥ６からの検知信号を入力した場合の入力処理において、普通図柄を用いた普通図柄変動ゲームの保留を記憶する処理や普通当り抽選などに用いる各種乱数を取得する処理を行う。
【００３９】
副基板６６は、主基板６５から一方向で情報（制御信号）が送信されるように主基板６５と電気的に接続されている。副基板６６は、制御動作を所定の手順で実行することができる副制御用ＣＰＵ６６ａと、副制御用ＣＰＵ６６ａの制御プログラムを格納する副制御用ＲＯＭ６６ｂと、必要なデータの書き込み及び読み出しができる副制御用ＲＡＭ６６ｃと、を有する。
【００４０】
副基板６６の副制御用ＣＰＵ６６ａは、主基板６５から送信される情報をもとに当該情報に応じた制御を行う。例えば、主制御用ＣＰＵ６５ａは、特別図柄を用いた図柄変動ゲームを開始させる場合、特別図柄表示装置６０，６１の表示内容の制御に加えて、図柄変動ゲームの開始を指示する情報を副制御用ＣＰＵ６６ａに送信する。当該情報を受けた副制御用ＣＰＵ６６ａは、表示装置２７において飾り図柄を用いた図柄変動ゲームを行わせるように表示装置２７の表示内容を制御する。また、副制御用ＣＰＵ６６ａは、図柄変動ゲームに併せてスピーカ６７から音声が出力されるように制御する、及び装飾ランプ６８が発光されるように制御する。スピーカ６７及び装飾ランプ６８は、パチンコ遊技機１０に搭載されている。
【００４１】
上記のように構成した本実施形態のパチンコ遊技機１０において、遊技盤１５の遊技領域１６には、図１及び図２に示すように、入球口３２が開口された入球部３３を有する入賞口ユニット７０が配設されている。
【００４２】
以下、入賞口ユニット７０の構成を説明する。
図５〜図７に示すように、入賞口ユニット７０は、入球部３３と、入球部３３に連設された左右一対の第１誘導部７１と、各第１誘導部７１の端部に連設された左右一対の第２誘導部７２と、を有する。入賞口ユニット７０は、遊技盤１５の盤面への取付部７３を複数箇所に設けた透明の後板７４を有し、この後板７４に入球部３３、第１誘導部７１及び第２誘導部７２のそれぞれが所定の配置で一体的に取り付けられている。この実施形態において入賞口ユニット７０は、入球部３３を中心として左右対称形状である。また、図７に示すように、後板７４の背面において、第１始動入賞口２８及び第２始動入賞口２９ａのそれぞれに対応する位置には、第１始動入賞口２８へ入球した遊技球を後方に案内する第１案内樋７５と、第２始動入賞口２９ａへ入球した遊技球を後方に案内する第２案内樋７６と、が突出している。
【００４３】
図６及び図８（ａ）に示すように、第１誘導部７１は、全体が板状である。第１誘導部７１は、遊技領域１６を流下し、何れの入賞口にも入賞しなかった遊技球を受け入れるとともに転動させる面となる下り勾配の第１誘導面７１ａを有する。第１誘導面７１ａは、下る方向が長辺方向となる平面視長方形状の面であり、短辺方向の長さ（図８（ａ）に符号「Ｗ」を付す）は遊技球の直径よりも僅かに大きい。図５に示すように入賞口ユニット７０を正面視した場合、第１誘導部７１は、第１誘導面７１ａが入球部３３から第２誘導部７２に向かって下り傾斜となるように入球部３３に繋がっている。また、第１誘導部７１は、第１誘導面７１ａが入球口３２よりも下方に位置し、かつ外側排出口４３よりも上方に位置するように入球部３３に繋がっている。また、第１誘導部７１は、後板７４の前面において、長辺方向が後板７４の面方向に沿い、短辺方向が後板７４の面から前方に突出している。これにより、第１誘導部７１は、入賞口ユニット７０を遊技領域１６に配設した場合、長辺方向が盤面の面方向に沿い、短辺方向が盤面から前方に突出している。
【００４４】
図５、図６及び図８（ｂ）に示すように、第２誘導部７２は、第１誘導面７１ａの下流端に繋がっている。第２誘導部７２は、後板７４に対して所定の間隔をあけて対向する透明の前板７７を有し、この前板７７によって第１誘導面７１ａの最下流に連なる遊技球の入口７８と、第２誘導部７２で誘導された遊技球の出口７９と、がそれぞれ開口されている。また、第２誘導部７２は、第１誘導部７１で誘導された遊技球を受け入れるとともに、受け入れた遊技球を遊技領域１６の最下方に位置するアウト口５７に誘導する下り勾配の第２誘導面７２ａを有する。第２誘導面７２ａは、第１誘導面７１ａの遊技球の誘導方向とは反対方向に下る面である。第２誘導面７２ａの誘導方向に交差する（直行する）方向の長さは、第１誘導面７１ａの短辺方向の長さと同じである。また、第２誘導面７２ａの誘導方向に交差する（直行する）方向の長さにより、後板７４と前板７７の間隔が規定されている。なお、前板７７は、第２誘導面７２ａの誘導方向に交差する方向に位置する縁（前端）に立設されており、入口７８と出口７９のそれぞれの開口縁の一部を形成している。
【００４５】
図８（ａ），（ｂ）に示すように、第２誘導面７２ａは、第２誘導部７２の入口７８において第１誘導面７１ａの最下流に位置する開口縁７８ａと対向する開口縁７８ｂに繋がっている。第２誘導面７２ａは、誘導方向の上流側から順に、開口縁７８ｂに繋がる垂下面８０ａと、垂下面８０ａに繋がる下り勾配の第１傾斜面８０ｂと、第１傾斜面８０ｂに段差部８１を介して繋がる第２傾斜面８０ｃと、を有する。段差部８１は、第２誘導面７２ａにおける遊技球の誘導方向に下っている。これにより、第２傾斜面８０ｃは、第１傾斜面８０ｂに対し一段下がった状態で位置しており、第１傾斜面８０ｂと第２傾斜面８０ｃは段差状に繋がっている。段差部８１は、第２傾斜面８０ｃへ到達した遊技球が第１傾斜面８０ｂへ逆流することを防止する。なお、第２誘導部７２の出口７９は、段差部８１の位置に開口されている。また、入口７８の開口縁７８ｂには、外側誘導面８２が繋がっている。外側誘導面８２は、入賞口ユニット７０において左右の最も外側に位置する面であり、入口７８に向かう下り勾配の面である。
【００４６】
第２誘導部７２の側面、外側誘導面８２の側面、後板７４を含む入賞口ユニット７０の外側部８３は、入賞口ユニット７０を遊技領域１６に配設した場合に遊技領域１６を画成する内レール部材２１及びコーナー飾り部材２２に面するように成形されている。具体的に言えば、図５に示すように、入賞口ユニット７０を正面視した場合の左側に位置する外側部８３は、遊技盤１５を正面視した場合の左側に位置する内レール部材２１に面する。一方で、図５に示すように、入賞口ユニット７０を正面視した場合の右側に位置する外側部８３は、遊技盤１５を正面視した場合の右側に位置するコーナー飾り部材２２に面する。
【００４７】
入賞口ユニット７０は、例えば図５から理解できるように、第１誘導面７１ａの下る方向を遊技球の転動方向としたとき、第１誘導部７１の上流側に入球部３３が位置するとともに、第１誘導部７１の下流側に第２誘導部７２が位置している。そして、遊技領域１６に配設された入賞口ユニット７０は、例えば図５に示すように、入球部３３を挟んで左右の方向に第１誘導部７１がそれぞれ延び、第１誘導部７１の最下流側から入球部３３の下方に位置するアウト口５７に向かうように左右の方向から第２誘導部７２がそれぞれ延びている。また、第２誘導面７２ａは、第１誘導面７１ａの下方において上下に重なるように延びている。
【００４８】
図５に示すように、入賞口ユニット７０は、両側の外側部８３が内レール部材２１及びコーナー飾り部材２２のそれぞれにほぼ隙間のない状態で面するように遊技領域１６に配設されている。このため、入賞口ユニット７０が配設された遊技盤１５の遊技領域１６は、入賞口ユニット７０を上下の境界として２つの領域に分けられる。具体的に言えば、第１誘導部７１の上方に位置する上領域８５と、第１誘導部７１の下方に位置する下領域８６と、に分けられる。下領域８６は、何れの入賞口にも入賞しなかった遊技球を遊技領域１６の左右の領域からアウト口５７へ誘導する領域であり、アウト口５７には第２誘導部７２を通じて遊技球が誘導される。このため、下領域８６は、上領域８５に比して遊技球が上から下に向かって流れる量が少ない。そして、遊技領域１６の下方（第１誘導部７１の下方）には、入賞口ユニット７０の後板７４が位置しており、その後板７４を含む入賞口ユニット７０によってスペース（空間）が形成されている。
【００４９】
この実施形態の遊技盤１５において下領域８６には、遊技盤１５の装飾効果を高める装飾が施されている。この装飾は、遊技球が上から下に向かって流れない領域に施されるので、立体的に行うことができる。このため、下領域８６には、例えばパチンコ遊技機１０で行われる演出などに登場するキャラクタをモチーフとして成形された立体装飾部材８７が配置されている。各図において立体装飾部材８７は斜線で示している。
【００５０】
次に、この実施形態の入賞口ユニット７０における遊技球の流れをその作用とともに説明する。
遊技領域１６に発射された遊技球は、遊技領域１６の上方の領域から下方の領域に流下する。このとき、遊技球は、発射強度に応じて、図１に矢印Ｘで示すように遊技領域１６の左方の領域を流下する場合や、図１に矢印Ｙで示すように遊技領域１６の右方の領域を流下する場合がある。そして、発射された遊技球のうち、何れかの入賞口へ入球した遊技球は、当該入賞口に繋がる排出路によって遊技盤１５の裏側へ排出される。
【００５１】
この実施形態において入球部３３に入球した遊技球は、振分部材３５によって第１通路３４ａ及び第２通路３４ｂの何れかに振分けられる。第１通路３４ａへ振分けられた遊技球は、第１通路３４ａを通じて第１始動入賞口２８へ入球する場合や、第１始動入賞口２８へ至る第１通路３４ａの途中に開口されている外側排出口４３又は内側排出口４４を通じて入球部３３の外に排出される場合がある。また、第２通路３４ｂへ振分けられた遊技球は、第２通路３４ｂを通じて第２始動入賞口２９ａへ入球する場合や、第２始動入賞口２９ａへ至る第２通路３４ｂの途中に開口されている外側排出口４３又は内側排出口４４を通じて入球部３３の外に排出される場合がある。外側排出口４３又は内側排出口４４を通じて入球部３３の外に排出される遊技球は、遊技領域１６のうち、第１誘導部７１の下方に位置する下領域８６に排出される。そして、排出された遊技球は、アウト口５７の周辺に落下し、アウト口５７へ流れる。
【００５２】
一方、何れの入賞口にも入球しなかった遊技球は、遊技領域１６の最下流へ向けて流下する。
図５に示すように、遊技領域１６の最下流へ向けて流下する遊技球（図中に符号「Ｂ」を付す）は、入球部３３の入球口３２よりも下方に位置する第１誘導部７１の第１誘導面７１ａで受け入れられる。そして、遊技球は、第１誘導面７１ａ上を当該第１誘導面７１ａの下る方向に転動する。この実施形態の入賞口ユニット７０では左右一対の第１誘導面７１ａを有することから、遊技領域１６を正面視した場合の左側に位置する第１誘導面７１ａを転動する遊技球は、左側の第２誘導部７２へ向かって転動する。一方、遊技領域１６を正面視した場合の右側に位置する第１誘導面７１ａを転動する遊技球は、右側の第２誘導部７２へ向かって転動する。第１誘導面７１ａの最下流に到達した遊技球は、それぞれの最下流に位置する第２誘導部７２の入口７８を通過し、第２誘導面７２ａで受け入れられた後、第２誘導面７２ａの傾斜によってアウト口５７へ導かれる。アウト口５７へ導かれた遊技球は、遊技盤１５の裏側の排出樋を介して機外に排出される。なお、遊技球が流下する経路には、第２誘導部７２の入口７８に直接到達する経路や、外側誘導面８２で受け入れて入口７８に到達する経路も含む。
【００５３】
この実施形態の遊技盤１５は、遊技領域１６の最下方に位置するアウト口５７に対して、遊技領域１６の左右の領域を用いて遊技球を誘導している。そして、第１誘導部７１によって遊技領域１６を上下に二分しており、第１誘導部７１の下方から上方への遊技球の移動を規制している。このため、アウト口５７を遊技領域１６の最下方に配置している場合に行い得る不正行為を行うことは困難である。具体的に言えば、図５に二点鎖線で示すように、アウト口５７周辺で遊技球の流れを滞留させるとともに、遊技球を堆積させて始動入賞口（この実施形態では入球部３３）へ遊技球を入球させることが困難である。
【００５４】
また、この実施形態において入球部３３には、外側排出口４３と内側排出口４４が開口されている。外側排出口４３と内側排出口４４は、第１誘導面７１ａの下方に位置する下領域８６に向けて開口されている。このため、図５に二点鎖線で示すように、アウト口５７周辺で遊技球の流れを滞留させるとともに、遊技球を堆積させることで、外側排出口４３又は内側排出口４４から遊技球を入球部３３に入れることも考えられる。しかしながら、この実施形態の遊技盤１５の下領域８６は、遊技球の流下経路を形成するように遊技釘５５などの遊技部品を配置していないスペース（空間）である。これにより、外側排出口４３又は内側排出口４４から遊技球を入球部３３に入れるためには下領域８６を埋める量の遊技球を堆積させる必要があるが、遊技部品が配置されていないことで遊技球を引っ掛ける部位もなく、堆積を困難にしている。
【００５５】
また、下領域８６には、入賞口ユニット７０の後板７４が位置することで遊技釘５５などの遊技部品も植設されていないことから、立体装飾部材８７などの装飾を施すことができる。そして、立体装飾部材８７の前面側を入賞口ユニット７０の透明の後板７４で覆うことで、立体装飾部材８７の視認性を向上し得る。
【００５６】
したがって、本実施形態によれば、以下に示す効果を得ることができる。
（１）入賞口に入賞しなかった遊技球（アウト球）を第１誘導部７１によって遊技領域１６の左右の方向に流した後、第２誘導部７２によって遊技球をアウト口５７へ誘導するように遊技盤１５を構成している。これにより、入賞口ユニット７０とアウト口５７との間にスペース（下領域８６）を作ることができる。このため、アウト口５７への遊技球の流れを滞留させるとともに遊技球を堆積させようとしても、スペースを広くとることで遊技球が堆積し難い。したがって、不正行為を行い難い。
【００５７】
（２）特に、振分部材３５を有する入球部３３を採用し、外側排出口４３及び内側排出口４４を第１誘導部７１の下方に配置させている場合でも、外側排出口４３及び内側排出口４４を通じて入球部３３へ遊技球を入れることは困難である。したがって、不正行為を行い難い。
【００５８】
（３）また、遊技盤１５の最下方の領域周辺は、アウト口に向かうアウト球の流下経路であり、特に当り遊技中などに遊技領域１６の右方の領域へ遊技球を流下させる右打ち仕様の盤面構成であれば最下方の領域周辺に配置される部品も少ない。このため、最下方の領域周辺は、遊技に直接的に寄与し得ない領域となり得る可能性が高い。したがって、遊技盤１５の盤面においてアウト球の流下経路となり得る領域の占有率を少なくすることで、このような領域を、意匠性を高めるための領域として活用することができる。つまり、サイズにある程度の制約が掛かる遊技盤１５のスペースを意匠性の向上のために有効に活用することができる。
【００５９】
（４）入賞口ユニット７０により、入賞口に入賞しなかった遊技球が遊技領域１６の左右の方向に分流されることで、遊技球の流れの視認性を向上させることができる。
（５）第２誘導部７２を前板７７で囲むことにより、アウト口５７へ流れる遊技球に対して外部からのアクセスを阻害し、不正行為を行い難くすることができる。
【００６０】
（６）第２誘導面７２ａの途中に段差部８１を介することで、アウト口５７側へ到達した遊技球の逆流を防止することができる。
（７）第１誘導部７１の下方の遊技領域（下領域８６）には、遊技部品を配設しないことで、遊技球が堆積し難く、不正行為が行い難い。
【００６１】
（８）第１誘導部７１の下方の遊技領域（下領域８６）に入賞口ユニット７０を構成する透明の後板７４を配置することで、下領域８６に配置されている立体装飾部材８７の視認性を向上させることができる。
【００６２】
なお、上記実施形態は以下のように変更してもよい。
・第１傾斜面８０ｂと第２傾斜面８０ｃを繋ぐ段差部８１の形状は任意に変更することができる。例えば、第１傾斜面８０ｂと第２傾斜面８０ｃを階段状に繋ぐように段差部８１の形状を設定しても良い。また、第１傾斜面８０ｂと第２傾斜面８０ｃを斜状に繋ぐように段差部８１の形状を設定しても良い。ただし、斜状に繋ぐ場合は、第２傾斜面８０ｃから第１傾斜面８０ｂへの逆流を防止できるように勾配を設定する必要があり、直角に近い急勾配が好ましい。
【００６３】
・また、第２誘導面７２ａの勾配によっては、第２誘導面７２ａの段差部８１を省略しても良い。つまり、第２誘導面７２ａを無段状の面としても良い。
・後板７４や前板７７は、無色透明の壁でも良いし、盤面や遊技球の視認性を低下させない範囲で着色が施されていても良い。
【００６４】
・後板７４は、遊技球が引っ掛からない程度であれば凹凸による装飾（カットデザイン）を施しても良い。凹凸の装飾において凹部には、溝や孔を含む。また、このような装飾は、後板７４の表面に施しても良いし、又は裏面に施しても良いし、あるいは表裏両面に施しても良い。後板７４に装飾を施せば、下領域８６の意匠性を向上させ、その結果、パチンコ遊技機１０並びに遊技盤１５の意匠性も向上し得る。
【００６５】
・入賞口ユニット７０は左右非対称の形状であっても良い。つまり、第１誘導部７１の長さは、入球部３３とアウト口５７の位置によって決まる。このため、一方の第１誘導部７１に対して他方の第１誘導部７１が、長くても良いし、あるいは短くても良い。また、第１誘導部７１の勾配が異なっていても良い。また、第１誘導部７１に繋がる左右の第２誘導部７２が異なっていても良い。例えば、第２誘導面７２ａの勾配が異なっていても良い。
【００６６】
・入賞口ユニット７０の下方に位置する下領域８６における装飾は、任意に変更することができる。立体装飾部材８７を配置する場合に限らず、例えば盤面に絵柄を施しても良い。
【００６７】
・入賞口ユニット７０は、入球部３３と、片側の第１誘導部７１と、その第１誘導部７１に繋がる第２誘導部７２によって構成しても良い。つまり、入球部３３に対する第１誘導部７１及び第２誘導部７２をそれぞれ一つとし、入賞口ユニット７０を構成しても良い。
【００６８】
・第１誘導部７１の第１誘導面７１ａは、平坦な面に限らず、途中に単数又は複数の段差を設け、階段状の面としても良い。
・遊技領域１６において、第２始動入賞口２９ｂ、大入賞口３０、普通入賞口３１、作動ゲート５３などの位置や個数を変更しても良い。例えば、遊技領域１６において始動入賞口を第１始動入賞口２８と第２始動入賞口２９ａのみとしても良い。例えば、大入賞口３０を複数（２つ）配置しても良い。また、第２始動入賞口２９ｂ、大入賞口３０、普通入賞口３１が開口された入賞部の形状も任意に変更することができる。
【００６９】
・入球口３２は、遊技領域１６の中心線Ｌ１上に位置していなくても良い。例えば、入球口３２は、遊技盤１５の中心線Ｌ２上に位置していても良い。また、両中心線Ｌ１，Ｌ２からずれていても良い。
【００７０】
・アウト口５７は、遊技領域１６の最下方に位置しており、遊技領域１６の最下方が遊技盤１５の盤面領域における最下方である必要はない。
【符号の説明】
【００７１】
１０…パチンコ遊技機、１５…遊技盤、１６…遊技領域、２８…第１始動入賞口、２９ａ，２９ｂ…第２始動入賞口、３０…大入賞口、３１…普通入賞口、３２…入球口、３３…入球部、４３…外側排出口、４４…内側排出口、３４…流下通路、３４ａ…第１通路、３４ｂ…第２通路、３５…振分部材、５７…アウト口、７０…入賞口ユニット、７１…第１誘導部、７１ａ…第１誘導面、７２…第２誘導部、７２ａ…第２誘導面、７７…前板、７８…入口、７９…出口、８１…段差部。
【図１】
2015204914.tif 000003
【図２】
2015204914.tif 000004
【図３】
2015204914.tif 000005
【図４】
2015204914.tif 000006
【図５】
2015204914.tif 000007
【図６】
2015204914.tif 000008
【図７】
2015204914.tif 000009
【図８】
2015204914.tif 000010